(57)【要約】【課題】レンタル倉庫において、荷物の量に応じてレンタル料金を徴収することでレンタル料金を低く抑える。荷物の預け入れや運送の手間を減らす。【解決手段】ホストコンピュータ、リモートコンピュータ、ホストコンピュータとリモートコンピュータを接続する回線、ホストコンピュータと運送業者を接続する回線から構成され、顧客のリモートコンピュータ上に、仮想的に自宅にある物品および倉庫に格納されている物品が表示されており、顧客がリモートコンピュータ上の仮想的な自宅と倉庫の間で物品の移動を行うと、回線を通してホストコンピュータに情報が伝達される。ホストコンピュータは回線を通して運送業者に自宅−倉庫間の物品搬送の指示を送り、リモートコンピュータと同じ状態になるように物品の搬送を行う。【選択図】      図１
2004171473.tif 000002
【特許請求の範囲】
【請求項１】
倉庫、ホストコンピュータ、リモートコンピュータ、通信回線から構成されるシステムにおいて、顧客がリモートコンピュータから通信回線を用いてホストコンピュータに接続し、顧客が倉庫に格納している物品および手元に置いている物品を確認できるシステムとサービスにおいて、顧客がリモートコンピュータ上で手元に置いている物品リストと倉庫に格納している物品リストの間の移動を行うと、通信回線で接続されたホストコンピュータから運送業者に指示が出され、物品の運搬、倉庫への格納および倉庫からの搬出が行われるシステムおよびサービス。
【請求項２】
前記請求項のシステム、サービスにおいて、倉庫に格納されている物品リストを、保管、貸し出し可能、売却可能に分類し、貸し出し可能および売却可能な物品は貸し出し及び売却の仲介を行い、貸し出し及び売却によって得られる利益の徴収を行うことを特徴とするシステム及びサービス。
【請求項３】
通信回線はインターネットを利用することを特徴とするシステムおよびサービス。
【発明の詳細な説明】
【０００１】
【発明の属する技術分野】
本発明は、荷物を一時的に預かる倉庫のレンタル方法に関する。
【０００２】
【従来の技術】
倉庫の一部を賃貸し、借りた倉庫の体積および期間に応じて料金を徴収するサービスが知られている。
【０００３】
【発明が解決しようとする課題】
しかしながら、従来のレンタル倉庫は床面積あるいは体積あたりの料金を徴収するため、荷物の量が少なくても高額のレンタル料を払う必要があった。また、使用頻度が低いものをレンタルせずに購入した人は、その荷物を倉庫に預けておくと料金がかかってしまうという問題もあった。さらに、荷物の預入れに関しても倉庫業者、宅配業者の手配が必要となるなど手間がかかると言う問題もあった。
【０００４】
【課題を解決するための手段】
本発明は上記の問題点を解決するためになされたもので、荷物の量に応じてレンタル料金を徴収することでレンタル料金を低く抑え、荷物の預け入れに際して手間を減らし、さらに、使用頻度の低いものを他人にレンタルしたり販売したりできるシステム及びサービスを提供する。
【０００５】
【発明の実施の形態】
図１が本発明の実施例の全体構成を表した図で、図２〜図１６が本実施例の具体的なフローチャートを表した図、図１７〜図１９が顧客ごとの物品の格納状況や運送状況を記録するためのファイルの構成を説明するための図である。
【０００６】
図１において、１はホストコンピュータ、２はリモートコンピュータ、３は自宅にある未格納な物品、４は倉庫に格納されている物品、５はホストコンピュータとリモートコンピュータを接続する回線、６はホストコンピュータと運送業者を接続する回線である。
【０００７】
顧客のリモートコンピュータ２上に、仮想的な自宅にある物品３および、倉庫に格納されている物品４が表示されており、顧客がリモートコンピュータ２上の仮想的な自宅と倉庫の間で物品の移動を行うと、回線５を通してホストコンピュータ１に情報が伝達される。ホストコンピュータ１は回線６を通して運送業者に自宅―倉庫間の物品搬送の指示を送り、リモートコンピュータ２と同じ状態になるように物品の搬送を行う。
【０００８】
図２がホストコンピュータのメインプログラムのフローチャートである。メインプログラムを起動すると、Ｓ１００１でリモート通信管理プログラムと運送通信管理プログラムをバックグラウンドで起動する。次にＳ１００２で料金請求プログラムの起動タイマーを設定し、メインプログラムを終了する。本発明の実施形態はバックグラウンドで起動されたプログラムと、タイマーで指定日時に起動されるプログラムによって動作する。
【０００９】
図３はバックグラウンドに起動されたリモート通信管理プログラムのフローチャートである。本プログラムはリモートコンピュータからの接続要求を看視し、接続要求があったらＳ１０１１でリモート通信プログラムをバックグラウンドで起動し、接続要求の看視に戻る。
【００１０】
図１７が物品ファイルの内容を説明するための図である。図１７において、１０１は物品名、１０２はコメント、１０３は格納中か未格納かの区別、１０４は貸し出し可能不可の区別と、貸し出し可能の場合の貸し出し価格、１０５は販売可能不可の区別と、販売可能の場合の販売価格を表す。
【００１１】
図４がリモート通信プログラムのフローチャートである。このプログラムはリモートコンピュータからの接続要求があるとバックグラウンドで起動され、リモートコンピュータからのさまざまな要求に応えるプログラムである。このプログラムは、まずＳ１０２１でユーザ認証を行う。認証方法は例えばパスワードによる認証を行う。認証に失敗した場合にはＳ１０２２で回線を切断しプログラムは終了する。認証が正常の場合にはＳ１０２３で物品ファイルをリモートコンピュータに送り、リモートコンピュータからのリクエストを待つ。Ｓ１０２４でリモートコンピュータからのユーザのリクエストが終了の場合にはＳ１０２５で回線を切断し、リモート通信プログラムを終了する。ユーザのリクエストが「引出す」の場合にはＢ、「預ける」の場合にはＣ、「貸す」の場合にはＤ、「売る」の場合にはＥ、「物品編集」の場合にはＦ、「料金詳細表示」の場合にはＧ、「借りる」の場合にはＨ、「買う」の場合にはＩに進む。
【００１２】
図５は図４のＢの続きであり、ホストコンピュータの物品引出し処理のフローチャートである。Ｓ１０３１で、ホストコンピュータに格納されている物品リストから、現在格納されている物品だけを抽出し、リモートコンピュータに転送する。次に、Ｓ１０３２でリモートコンピュータでユーザが選択した引出したい物品は何かを受け取る。Ｓ１０３３でその物品を配送する希望日時、場所をリモートコンピュータに問い合わせる。Ｓ１０３４でユーザが引出したい格納物品、配送日時、場所を運送会社に連絡し、図４のＡに飛ぶ。
【００１３】
図６は図４のＣの続きであり、ホストコンピュータの物品預け入れ処理のフローチャートである。Ｓ１０４１で、ホストコンピュータに格納されている物品リストから、現在未格納の物品だけを抽出し、リモートコンピュータに転送する。次に、Ｓ１０４２でリモートコンピュータでユーザが選択した預け入れたい物品は何かを受け取る。もし、Ｓ１０４１で転送した物品の中にない場合には、新規に入力する。Ｓ１０４３でその物品を配送する希望日時、場所をリモートコンピュータに問い合わせる。Ｓ１０４４で物品、配送日時、場所を運送会社に連絡し、図４のＡに飛ぶ。
【００１４】
図７は図４のＤの続きであり、ホストコンピュータの物品貸し出し処理のフローチャートである。Ｓ１０５１で、ホストコンピュータに格納されている物品リストから、現在格納されている物品だけを抽出し、リモートコンピュータに転送する。次に、Ｓ１０５２でリモートコンピュータでユーザが選択した貸し出ししたい物品は何かを受け取る。もし、Ｓ１０５１で転送した物品の中にある場合には、Ｓ１０５６に飛ぶ。ない場合には、Ｓ１０５３で新規に入力する。次にＳ１０５４でその物品を運送する希望日時、場所をリモートコンピュータに問い合わせる。Ｓ１０５５で物品、配送日時、場所を運送会社に連絡しＳ１０５６に飛ぶ。次にＳ１０５６でリモートコンピュータに貸し出し価格、期間を問い合わせ、Ｓ１０５７で貸し出しデータベースに登録し、図４のＡに飛ぶ。
【００１５】
図８は図４のＥの続きであり、ホストコンピュータの物品販売処理のフローチャートである。Ｓ１０６１で、ホストコンピュータに格納されている物品リストから、現在格納されている物品だけを抽出し、リモートコンピュータに転送する。次に、Ｓ１０６２でリモートコンピュータでユーザが選択した販売したい物品は何かを受け取る。もし、Ｓ１０６１で転送した物品の中にある場合には、Ｓ１０６６に飛ぶ。ない場合には、Ｓ１０６３で新規に入力する。次にＳ１０６４でその物品を運送する希望日時、場所をリモートコンピュータに問い合わせる。Ｓ１０６５で物品、配送日時、場所を運送会社に連絡しＳ１０６６に飛ぶ。次にＳ１０６６でリモートコンピュータに販売価格、期間を問い合わせ、Ｓ１０６７で販売データベースに登録し、図４のＡに飛ぶ。
【００１６】
図９は図４のＦの続きであり、ホストコンピュータの物品編集処理のフローチャートである。Ｓ１０７１で、ホストコンピュータに格納されている物品リストをリモートコンピュータに転送する。次に、Ｓ１０７２でリモートコンピュータでユーザが新規か削除かによって分岐する。新規の時はＳ１０７３でその物品を物品リストに追加する。削除のときはＳ１０７４で物品リストから削除する。その後、図４のＡに飛ぶ。
【００１７】
図１８は格納記録ファイルの内容である。図１８において、２０１は格納物品、２０２はコメント欄、２０３は預け入れ日、２０４は引出し日、２０５は１日あたりの料金である。
【００１８】
図１９は運送記録ファイルの内容である。図１９において、３０１は格納物品、３０２はコメント欄、３０３は搬入または搬出の日付、３０４は搬入または搬出の区別、３０５は搬入または搬出の料金である。
【００１９】
図１０は図４のＧの続きであり、ホストコンピュータの料金詳細表示処理のフローチャートである。Ｓ１０８１で、ホストコンピュータに格納されている物品格納記録ファイルの預け入れ日、引出し日、一日あたりの料金から格納料金を計算する。Ｓ１０８２で、運送記録ファイルの搬入または搬出の料金から運送料金を計算する。Ｓ１０８３で貸し出しデータベース、販売データベースから料金を計算する。Ｓ１０８４で結果をリモートコンピュータに送り、図４のＡに飛ぶ。
【００２０】
図１１は図４のＨの続きであり、ホストコンピュータの物品借り入れ処理のフローチャートである。Ｓ１０９１で、リモートコンピュータに検索条件を問い合わせる。Ｓ１０９２で検索条件にもとづいて、貸し出しデータベースから検索し、Ｓ１０９３でリモートコンピュータに検索結果を送る。Ｓ１０９４でリモートコンピュータからユーザの応答を受け取り、借りないで戻る場合は図４のＡに飛ぶ。再検索の場合にはＳ１０９１に飛ぶ。借りる場合には、Ｓ１０９５で配送日時、場所をリモートコンピュータに問い合わせ、Ｓ１０９６で物品名、日時、場所を運送会社に連絡し、図４のＡに飛ぶ。
【００２１】
図１２は図４のＩの続きであり、ホストコンピュータの物品購入処理のフローチャートである。Ｓ１１０１で、リモートコンピュータに検索条件を問い合わせる。Ｓ１１０２で検索条件にもとづいて、販売データベースから検索し、Ｓ１１０３でリモートコンピュータに検索結果を送る。Ｓ１１０４でリモートコンピュータからユーザの応答を受け取り、購入しないで戻る場合は図４のＡに飛ぶ。再検索の場合にはＳ１１０１に飛ぶ。購入する場合には、Ｓ１１０５で配送日時、場所をリモートコンピュータに問い合わせ、Ｓ１１０６で物品名、日時、場所を運送会社に連絡し、図４のＡに飛ぶ。
【００２２】
図１３はホストコンピュータの料金請求プログラムのフローチャートである。Ｓ１１１１で、ホストコンピュータに格納されている格納記録ファイルを読み込み、預け入れ日、引出し日、１日あたり料金から格納料金を集計する。Ｓ１０３２ではホストコンピュータに格納されている運送記録ファイルを読み込み、運送料金を集計する。Ｓ１１１３では貸し出しデータベース、販売データベースから料金を集計する。Ｓ１１１４でこれらの料金を料金集計ファイルに書き出す。Ｓ１１１５ではＳ１１１１からＳ１１１４の処理を全顧客で繰り返し、Ｓ１１１６で料金集計ファイルを信販会社に送り料金を請求する。
【００２３】
図１４は運送通信管理プログラムのフローチャートである。運送会社からの接続要求を看視し、接続要求があったら運送記録プログラムをバックグラウンドで起動する。
【００２４】
図１５は運送記録プログラムのフローチャートである。Ｓ１１３１で認証を行い、認証エラーのときにはＳ１１３５に飛び、回線切断をして終了する。認証が正常の時にはＳ１１３２に飛ぶ。Ｓ１１３２では運送会社から運送記録を受け取り、運送記録ファイルに書き込む。Ｓ１１３３では回線を切断し、プログラムを終了する。
【００２５】
図１６はリモートコンピュータ側のソフトのフローチャートである。Ｓ１１４１でホストコンピュータに回線を接続する。Ｓ１１４２ではユーザ認証を行う。Ｓ１１４３ではホストコンピュータから物品ファイルを受け取る。Ｓ１１４４は仮想的な自宅と倉庫を表示する部分である。物品ファイルを自宅にある未格納物品と、倉庫に格納されている格納中物品に分けて表示をし、貸し出し可、販売可、貸し出し中、運送移動中の物品を区別するためのマークを付けて表示する。Ｓ１１４５で仮想的な自宅と仮想的倉庫間の物品の移動、貸し出し、販売の設定、貸し借り、売り買いなどの操作を行う。Ｓ１１４６、Ｓ１１４７でＳ１１４５で指示された操作の処理内容をホストコンピュータに送る。終了の場合はＳ１１４８で回線を切断し、終了する。
【００２６】
【発明の効果】
荷物の量に応じてレンタル料金を徴収することでレンタル料金を低く抑えることができる。
【００２７】
パソコン上の仮想的な自宅と倉庫の間の移動をするだけで、荷物の預け入れや運送が自動的に手配されるので、手間を減らすことができる。
【００２８】
さらに、使用頻度の低いものを他人にレンタルしたり販売したりできるためことでレンタル料を安く抑えることができ、また一時的に商品が必要になった場合にも他人が預けているものを借りることができる。
【図面の簡単な説明】
【図１】実施例を説明するための図。
【図２】ホストコンピュータのメインプログラムを説明するための図。
【図３】ホストコンピュータのリモート通信管理プログラムを説明するための図。
【図４】ホストコンピュータのリモート通信プログラムを説明するための図。
【図５】ホストコンピュータの物品引出し処理を説明するための図。
【図６】ホストコンピュータの物品預け入れ処理を説明するための図。
【図７】ホストコンピュータの物品貸し出し処理を説明するための図。
【図８】ホストコンピュータの物品販売処理を説明するための図。
【図９】ホストコンピュータの物品編集処理を説明するための図。
【図１０】ホストコンピュータの料金詳細表示処理を説明するための図。
【図１１】ホストコンピュータの物品借用処理を説明するための図。
【図１２】ホストコンピュータの物品買取処理を説明するための図。
【図１３】ホストコンピュータの料金請求処理を説明するための図。
【図１４】ホストコンピュータの運送通信管理処理を説明するための図。
【図１５】ホストコンピュータの運送記録処理を説明するための図。
【図１６】リモートコンピュータの処理を説明するための図。
【図１７】物品ファイルの内容を説明するための図。
【図１８】格納記録ファイルの内容を説明するための図。
【図１９】運送記録ファイルの内容を説明するための図。
【符号の説明】
１  ホストコンピュータ
２  リモートコンピュータ
３  自宅にある未格納品
４  倉庫に預けられている格納品
５  ホストコンピュータとリモートコンピュータを接続する回線
６  ホストコンピュータと運送業者を接続する回線
【図１】
2004171473.tif 000003
【図２】
2004171473.tif 000004
【図３】
2004171473.tif 000005
【図４】
2004171473.tif 000006
【図５】
2004171473.tif 000007
【図６】
2004171473.tif 000008
【図７】
2004171473.tif 000009
【図８】
2004171473.tif 000010
【図９】
2004171473.tif 000011
【図１０】
2004171473.tif 000012
【図１１】
2004171473.tif 000013
【図１２】
2004171473.tif 000014
【図１３】
2004171473.tif 000015
【図１４】
2004171473.tif 000016
【図１５】
2004171473.tif 000017
【図１６】
2004171473.tif 000018
【図１７】
2004171473.tif 000019
【図１８】
2004171473.tif 000020
【図１９】
2004171473.tif 000021